(57)【要約】【課題】ポイント的に色が変化するように表示させることが可能となると共に、制御用信号線の増加を抑制できる発光装飾部材を備えた遊技機を提供する。【解決手段】正面視略星形５角形の発光カバー部材４１は、無色透明で透光性を有する合成樹脂で形成されて、背面側にＬＥＤ基板５１が嵌め込まれ、センター飾り部材２２の前面部に固着されている。また、正面視略星形５角形に形成された回転カバー部材４２は、背面部に立設された接続ボス６７が発光カバー部材４１の支持ボス４９に嵌挿されて回転可能に支持されている。また、回転カバー部材４２の接続ボス６７には、モータ４３のモータ軸４３Ａが圧入等によって結合されている。また、回転カバー部材４２は、無色透明で透光性を有する合成樹脂により形成されると共に、各突出部５６には、有色透明で透光性を有する合成樹脂により形成された各異色部６１が設けられている。【選択図】図３
2010253190.tif 000002
【特許請求の範囲】
【請求項１】
内部に配置された発光部材によって照明される発光装飾部材を備えた遊技機において、
前記発光装飾部材は、
透光性を有して前記発光部材の前面側を被覆する第１カバー部材と、
透光性を有して前記第１カバー部材の前面側に設けられる第２カバー部材と、
前記第１カバー部材と前記第２カバー部材とを相対移動させる駆動手段と、
を有し、
前記第２カバー部材は、前記駆動手段によって相対移動された場合に、前記第１カバー部材に常に重なった状態で相対移動する連続重なり部と、該第１カバー部材に対して重なった状態と重ならない状態とを繰り返しつつ相対移動する非連続重なり部とを有し、
前記非連続重なり部には、周囲の色と異なった色で透光性を有する異色部が設けられていることを特徴とする遊技機。
【発明の詳細な説明】
【技術分野】
【０００１】
本発明は、パチンコ機等の遊技機に関するものである。
【背景技術】
【０００２】
従来より、内部に配置された発光部材によって照明される発光装飾部材を備えた遊技機に関して種々提案されている。
例えば、透明板保持枠の左右角部に、遊技効果ランプが実装された装飾ランプ基板を取付け、その遊技効果ランプの前面側に装飾ユニットがネジ止めにより着脱可能に取り付けられている。また、装飾ユニットは、無色透明で透光性を有する合成樹脂により形成された第１カバー部材の後面側から、有色透明で透光性を有する合成樹脂により形成された第２カバー部材を係合固定することにより構成されている。また、この第２カバー部材の前面全体に光を拡散するためのローレット加工等の光拡散処理が施された遊技機が提案されている（例えば、特許文献１参照。）。
【先行技術文献】
【特許文献】
【０００３】
【特許文献１】特開２００４−６５４８３号公報（段落（００８５）〜（００９２）、図１２）
【発明の概要】
【発明が解決しようとする課題】
【０００４】
しかしながら、上記特許文献１に記載される遊技機の構成では、装飾ユニットは、遊技効果ランプを点灯することによって、第２カバー部材を照明するだけである。このため、第２カバー部材上でポイント的に色が変化するように表示する場合には、当該ポイントに対応する遊技効果ランプを個別に点灯駆動して、全体と異なる色で発光させる構成が考えられる。
【０００５】
しかし、このような構成では、第２カバー部材において、ポイント的に色が変化するように表示するためには、演出用制御回路と装飾ランプ基板とを複数の制御用信号線で接続する必要があり、ポイント数が多いと制御用信号線が増加する。また、透明遊技盤等には、種々の遊技効果ランプが配設されているため、演出用制御回路とその他の装飾ランプ基板とも複数の制御用信号線で接続する必要があり、制御用信号線の必要数が飛躍的に増大するという問題がある。
【０００６】
そこで、本発明は、上述した問題点を解決するためになされたものであり、ポイント的に色が変化するように表示させることが可能となると共に、制御用信号線の増加を抑制できる発光装飾部材を備えた遊技機を提供することを目的とする。
【課題を解決するための手段】
【０００７】
前記目的を達成するため請求項１に係る遊技機は、内部に配置された発光部材によって照明される発光装飾部材を備えた遊技機において、前記発光装飾部材は、透光性を有して前記発光部材の前面側を被覆する第１カバー部材と、透光性を有して前記第１カバー部材の前面側に設けられる第２カバー部材と、前記第１カバー部材と前記第２カバー部材とを相対移動させる駆動手段と、を有し、前記第２カバー部材は、前記駆動手段によって相対移動された場合に、前記第１カバー部材に常に重なった状態で相対移動する連続重なり部と、該第１カバー部材に対して重なった状態と重ならない状態とを繰り返しつつ相対移動する非連続重なり部とを有し、前記非連続重なり部には、周囲の色と異なった色で透光性を有する異色部が設けられていることを特徴とする。
【０００８】
この請求項１に係る遊技機では、駆動手段を介して、第１カバー部材と第２カバー部材とが相対移動された場合には、第２カバー部材の非連続重なり部に設けられた異色部は、第１カバー部材に対して重なった状態と重ならない状態とを繰り返しつつ相対移動する。このため、発光部材が単一の色で発光していても、第２カバー部材の非連続重なり部に設けられた異色部は、第１カバー部材に重なった状態のときだけ繰り返し周囲の色と異なった色に発光される。これにより、発光部材を単一色で発光させるための制御用信号線を発光装飾部材に接続すればよいため、第２カバー部材の非連続重なり部において、ポイント的に色が変化するように表示することが可能となると共に、制御用信号線の必要数の増加を抑制することが可能となる。
尚、発光部材には、単一色のランプやＬＥＤだけでなく、フルカラーＬＥＤや３色のＬＥＤを用いてもよい。そして、フルカラーＬＥＤや３色のＬＥＤを用いる場合は、種々の単一色に変化させて発光駆動するようにしても、第２カバー部材の非連続重なり部において、ポイント的に色が変化するように表示することが可能となると共に、制御用信号線の必要数の増加を抑制することが可能となる。
【図面の簡単な説明】
【０００９】
【図１】第１実施形態に係るパチンコ機の全体を示した正面図である。
【図２】図１の透明遊技盤を示した正面図である。
【図３】図２の発光装飾部材の全体を示した前面側斜視図である。
【図４】図２の発光装飾部材の全体を示した背面側斜視図である。
【図５】図２発光装飾部材の正面図である。
【図６】図５のＸ１−Ｘ１矢視断面図である。
【図７】図２の発光装飾部材の回転動作時の状態を示す図である。
【図８】第２実施形態に係る発光装飾部材の全体を示した前面側斜視図である。
【図９】第２実施形態に係る発光装飾部材の全体を示した背面側斜視図である。
【図１０】図８の縦断面図である。
【図１１】図８の発光装飾部材の回転動作時の状態を示す図である。
【発明を実施するための形態】
【００１０】
以下、本発明に係る遊技機をパチンコ機について具体化した第１実施形態及び第２実施形態に基づいて図面を参照しつつ詳細に説明する。
【実施例１】
【００１１】
先ず、第１実施形態に係るパチンコ機１の概略構成について図１に基づき説明する。図１は第１実施形態に係るパチンコ機１の全体を示した正面図である。
図１に示すように、パチンコ機１は、正面視矩形に形成される外枠２と、外枠２の開口を開閉自在に取り付けられた内枠３と、内枠３に開閉可能に設けられている額縁状に形成されたガラス扉枠４とで構成される。
【００１２】
また、内枠３は、外枠２に対して開閉自在に設置される前面枠（図示せず）と、機構部品等が取り付けられる機構盤（図示せず）と、それらに取り付けられる種々の部品（後述する透明遊技盤６等を除く）とを含む構造体である。更に、この内枠３の前面枠には、後述する遊技領域５が前面に形成された透明部材からなる透明遊技盤６（図２参照）が着脱可能に組み付けられている。
【００１３】
一方、ガラス扉枠４の背面において、内枠３の一部を構成する機構盤には、電源ユニット（図示せず）や各種制御基板が収納された基板ボックス（図示せず）やスピーカ（図示せず）などの部品が取り付けられている。そして、透明遊技盤６の前面に設けられた遊技領域５は、ガラス扉枠４によって保持されているガラス板を通して遊技者に視認可能となっている。
【００１４】
また、ガラス扉枠４の下側表面には上皿１０がある。この上皿１０の下部には、上皿１０に収容しきれないパチンコ球を貯留する下皿１１と遊技球を発射する操作ハンドル１２が設けられている。そして、操作ハンドル１２に対して回動可能に装着された操作レバー１３を遊技者が回動操作することにより、内枠３に設けられた上皿１０に貯留されているパチンコ球が、図示しない球送り機構を介して発射装置（図示せず）に送られた後、遊技領域５に向けて発射される。
【００１５】
続いて、内枠３に組み付けられている透明遊技盤６について、図２に基づいて説明する。図２はパチンコ機１の透明遊技盤６を示した正面図である。
図２に示すように、透明遊技盤６は、アクリル板等の透明合成樹脂板で形成され、遊技者から背面側が透視可能となっている。また、透明遊技盤６は、外周端部付近に、円弧状の外レール１５、戻り防止バネ１６及び内レール１７が取り付けられている。
【００１６】
これらの外レール１５、戻り防止バネ１６及び内レール１７によって囲まれた円形状の領域が遊技領域５となる。また、遊技領域５内には、釘や後述の各種役物が配置されている。そして、戻り防止バネ１６で仕切られた放出口１８から飛び出したパチンコ球は、釘や各種役物と接触しながら遊技領域５内を転動落下する。
【００１７】
また、透明遊技盤６の背面側には液晶表示器（ＬＣＤ）や有機ＥＬ表示器等で構成された画像表示装置２０が配設され、遊技領域５の略中央部に開設された開口部から視認可能に構成されている。この画像表示装置２０では、遊技領域の右下部分に配設された特別図柄表示器２１による特別図柄の可変表示期間中に、演出用の３列の変動図柄が変動表示され、また、各種の演出表示が行われる。この特別図柄表示器２１は、例えば、０〜９９の数字を可変表示可能な７セグメントＬＥＤ等で構成されている。
【００１８】
また、遊技領域５の略中央部には、画像表示装置２０の表示画面における３列の変動図柄の変動表示、及びこの変動表示に伴う演出表示等が行われる部分を囲むようにセンター飾り部材２２が配置されている。このセンター飾り部材２２には、画像表示装置２０の表示画面を囲むように、遊技中に点灯表示したり点滅表示される複数のＬＥＤが配設されている。また、センター飾り部材２２の内側の底面にはパチンコ球を転動させるステージ２３が形成されている。
【００１９】
また、センター飾り部材２２の上側前面部の左右方向中央部には、後述のＬＥＤ基板５１（図６参照）を内蔵する発光装飾部材２４（図３等参照）が配置されている。尚、センター飾り部材２２は、不透明の合成樹脂により形成され、遊技領域５において、センター飾り部材２２が設けられている部分では、遊技者は、画像表示装置２０の表示画面を視認できない。
【００２０】
また、センター飾り部材２２の下方には、各通過ゲート（スルー・チャッカー）２５、特別図柄始動口（スタート・チャッカー）２６等が配設されており、この特別図柄始動口２６の下方には、遊技領域５の下端部付近に特別入賞装置２７が配置されている。また、特別図柄始動口２６には、パチンコ球の入賞を検出する始動口スイッチ（図示せず）が設けられ、パチンコ球の入賞を検出することで特別図柄表示器２１において識別図柄の変動が開始されると共に、画像表示装置２０において３列の変動図柄の変動表示や各種の演出表示が開始される。
【００２１】
また、特別入賞装置２７には、開閉扉２８が設けられており、当該開閉扉２８が開放又は閉塞することによって大入賞口２９が開閉されるようになっている。そして、開閉扉２８の開放時には、開閉扉２８上に落下したパチンコ球が開閉扉２８に案内されて大入賞口２９へ入賞する。また、大入賞口２９の左右両側には、各普通入賞口３１が設けられている。
【００２２】
また、遊技領域５には、センター飾り部材２２の４隅の外側に回転自在に設けられた各風車３２や、遊技領域５内を転動落下するパチンコ球を所定の経路に誘導する多数の遊技釘３３が設けられている。そして、パチンコ球は、各風車３２や遊技釘３３等により特別図柄始動口２６の近傍に案内される。更に、遊技領域５の最下位置には、パチンコ球を透明遊技盤６の裏側へ排出するアウト口３５が外レール１５に沿って開設されている。
【００２３】
また、透明遊技盤６の背面側には、フルカラーＬＥＤやランプ等の発光源を備えた各照明装置３７、３８、３９が、センター飾り部材２２の左右及び上下において、透明遊技盤６と一定の間隔を空けて配設されている。この各照明装置３７、３８、３９は、パチンコ機１と関係のある形状（例えば、パチンコ機１と関連する文字やキャラクタ等の形状である。）に形成され、前面全体に光を拡散するための光拡散処理等が施されている。
【００２４】
そして、各照明装置３７、３８、３９は、図示しないサブ統合制御基板に接続され、サブ統合制御基板から送信される制御信号に基づいてフルカラーＬＥＤを発光させる。その結果、各照明装置３７、３８、３９は、画像表示装置２０の表示内容とリンクして発光したり、大当りとなったことを遊技者に報知する際に発光する。尚、発光された光は、透明遊技盤６を介して視認可能となる。
【００２５】
ここで、センター飾り部材２２の上側前面部の左右方向中央に設けられた発光装飾部材２４について図３乃至図７に基づいて説明する。図３は発光装飾部材２４の全体を示した前面側斜視図である。図４は発光装飾部材２４の全体を示した背面側斜視図である。図５は発光装飾部材２４の正面図である。図６は図５のＸ１−Ｘ１矢視断面図である。図７は発光装飾部材２４の回転動作時の状態を示す図である。
【００２６】
図３乃至図６に示すように、発光装飾部材２４は、発光カバー部材４１と、発光カバー部材４１の前面側に回転可能に設けられた回転カバー部材４２と、回転カバー部材４２を回転駆動するモータ４３等から構成されている。このモータ４３は、エンコーダを内蔵するステッピングモータ等で構成され、回転角度と原点位置を検出可能に構成されている。
【００２７】
この発光カバー部材４１は、無色透明で透光性を有する合成樹脂により形成されている。また、発光カバー部材４１は、円形の平板部４５（図７下側参照）と、この平板部４５の周縁部から等角度で半径方向外側に正面視略三角形に突出する５つの突出部４６（図７下側参照）とから構成された略星形５角形の平板状の前面部４７（図７下側参照）と、この前面部４７の周縁部から背面側方向へ直角に所定高さ延出された側壁部４８とから構成されている。
【００２８】
また、発光カバー部材４１の前面部４７の略中央部には、円筒状の支持ボス４９が、側壁部４８とほぼ同じ高さで立設され、この支持ボス４９の軸心に沿って、前後に連通する貫通孔５０が形成されている。また、発光カバー部材４１の背面側には、前面部４７と同じ略星形で中央部に支持ボス４９が嵌入される貫通孔が形成されたＬＥＤ基板５１が嵌め込まれて、取り付けられている。このＬＥＤ基板５１には、所定の同一色に発光する複数のＬＥＤ５２が実装され、不図示のサブ統合制御基板から供給される電源により発光駆動される。
【００２９】
そして、発光カバー部材４１は、図６に示すように、背面部がセンター飾り部材２２の前面部に接着等により固着されている。
尚、各ＬＥＤ５２は、単一色のＬＥＤだけでなく、フルカラーＬＥＤや３色のＬＥＤを複数個用いて、任意の色に発光させるようにしてもよい。
【００３０】
また、回転カバー部材４２は、円形の平板部５５（図７上側参照）とこの平板部５５の周縁部から等角度で半径方向外側に正面視略三角形に突出する５つの突出部５６（図７上側参照）とから構成された略星形平板状の前面部５７（図７上側参照）と、この前面部５７の周縁部から背面側方向に直角に所定高さ延出された側壁部５８とから構成されている。また、回転カバー部材４２の前面部５７は、周縁部から中央部に向けて徐々に厚くなるように形成されると共に、背面側は回転軸に対してほぼ垂直な平面状に形成されている。
【００３１】
また、回転カバー部材４２の前面部５７と、発光カバー部材４１の前面部４７とは、正面側から見た場合に、ほぼ同形状の略星形に形成されている。これにより、回転カバー部材４２と発光カバー部材４１は、図３乃至図５に示すように、各突出部５６、４６がほぼ重なって停止した場合には、後側の発光カバー部材４１が回転カバー部材４２によって覆われる。
【００３２】
また、回転カバー部材４２は、無色透明で透光性を有する合成樹脂により形成されると共に、各突出部５６の半径方向外側の端縁部には、有色透明（例えば、赤色透明である。）で透光性を有する合成樹脂により形成された正面視所定径の各異色部６１が設けられている。また、回転カバー部材４２の前面部５７の各異色部６１を含む背面全体には、光を拡散するための光拡散シート６２が、貼り付けられている。尚、各異色部６１は、正面視ハート形等の任意の形状に形成してもよい。また、各突出部５６に異色部６１を複数個づつ形成するようにしてもよい。
【００３３】
また、図６に示すように、回転カバー部材４２の後側に形成された略星形の開口部には、正面視略星形に形成された回転支持部材６３が嵌め込まれて、接着等により固着されている。この回転支持部材６３は、無色透明で透光性を有する合成樹脂により形成されている。
また、回転支持部材６３は、略星形平板状の底面部６５と、この底面部６５の周縁部から前側方向（図６中、左側方向である。）へ直角に側壁部５８とほぼ同じ高さに延出された側壁部６６とから構成されている。
【００３４】
また、回転支持部材６３の底面部６５の背面側略中央部には、回転カバー部材４２の回転軸を軸心とする円筒状の接続ボス６７が、発光カバー部材４１の厚さとほぼ同じ高さで立設されている。この接続ボス６７には、モータ４３のモータ軸４３Ａが嵌入又は圧入される貫通孔６８が軸心に沿って形成されている。
【００３５】
そして、回転カバー部材４２は、発光カバー部材４１の略中央部に形成された貫通孔５０の両端部に嵌入された一対の円筒状の軸受７１に、接続ボス６７を嵌挿させることによって、回転可能に支持される。この一対の円筒状の軸受７１は、ポリアセタール等の合成樹脂により形成され、それぞれ外側端縁部から直角外側方向に全周に渡って延出されたフランジ部が形成され、貫通孔５０の両端周縁部に当接している。
【００３６】
また、図４に示すように、モータ４３の左右両側の前側端縁部には、外側方向直角に所定長さ延出されて、取付用貫通孔７２が中央部に形成された略四角形の一対の取付耳部７３が設けられている。従って、図６に示すように、モータ４３は、先ず、モータ軸４３Ａを回転カバー部材４２の接続ボス６７の貫通孔６８に、接着剤を塗って嵌入し、又は、圧入する。
【００３７】
その後、モータ４３は、一対の取付耳部７３の各取付用貫通孔７２にネジを挿通し、センター飾り部材２２の背面側に形成された不図示のネジ孔にネジ止めすることによって、発光カバー部材４１の裏側にセンター飾り部材２２を挟んだ状態で取り付けられる。
尚、モータ４３は、不図示のサブ統合制御基板に接続され、駆動電源を供給される。そして、モータ４３は、サブ統合制御基板から供給される電源により回転駆動された場合には、図３乃至図５に示すように、発光カバー部材４１の各突出部４６と回転カバー部材４２の各突出部５６とが重なった状態になった時に、原点位置を検出するように構成されている。
【００３８】
次に、このように構成された発光装飾部材２４を発光駆動した一例について図７に基づいて説明する。
図７の上側に示すように、モータ４３の原点位置を検出している状態で、当該モータ４３を停止させ、サブ統合制御基板を介して発光カバー部材４１の各ＬＥＤ５２を発光駆動した場合には、回転カバー部材４２の各突出部５６は、発光カバー部材４１の各突出部４６にほぼ重なっている。
【００３９】
また、回転カバー部材４２の前面部５７は、各ＬＥＤ５２の発光色によって、光拡散シート６２を介して全面に渡ってほぼ均一に発光する。例えば、各ＬＥＤ５２が緑色で発光した場合には、回転カバー部材４２の前面部５７は、全面に渡って緑色でほぼ均一に発光する。また、この時、回転カバー部材４２の各突出部５６の先端部に形成された異色部６１は、各ＬＥＤ５２の発光によって、それぞれの色で発光する。例えば、各異色部６１が赤色透明の場合には、当該各異色部６１はＬＥＤ５２の緑色と赤色透明の混色で発光する。
【００４０】
続いて、図７に示すように、不図示のサブ統合制御基板を介して、モータ４３を所定回転速度で回転駆動して、回転カバー部材４２を正面視時計方向又は反時計方向へ回転させた場合には、当該回転カバー部材４２の各突出部５６が、発光カバー部材４１の各突出部４６と繰り返し対向することとなる。このため、回転カバー部材４２の各突出部５６は、発光カバー部材４１の各突出部４６と重なっている部分だけ、各ＬＥＤ５２によって発光し、当該発光カバー部材４１の各突出部４６と重なっていない部分は発光しなくなる。
【００４１】
従って、モータ４３を所定回転速度で回転駆動した場合には、回転カバー部材４２の各突出部５６の先端部に形成された異色部６１は、発光カバー部材４１の各突出部４６と対向した場合だけ、それぞれの色で繰り返し発光する。
【００４２】
その後、再度、モータ４３を原点位置を検出した状態で停止させた場合には、回転カバー部材４２の各突出部５６は、発光カバー部材４１の各突出部４６にほぼ重なって停止する。これにより、サブ統合制御基板を介して発光カバー部材４１の各ＬＥＤ５２を発光駆動した場合には、回転カバー部材４２の前面部５７は、全面に渡ってほぼ均一に発光すると共に、各突出部５６の先端部に形成された異色部６１は、各ＬＥＤ５２の発光によって、それぞれの色で発光する。
【００４３】
ここで、発光カバー部材４１は、第１カバー部材の一例として機能する。また、回転カバー部材４２は、第２カバー部材の一例として機能する。また、モータ４３は、駆動手段の一例として機能する。また、平板部５５は、連続重なり部の一例として機能する。また、各突出部５６は、非連続重なり部の一例として機能する。また、ＬＥＤ基板５１及び各ＬＥＤ５２は、発光部材の一例を構成する。
【００４４】
以上説明した通り、第１実施形態に係るパチンコ機１によれば、センター飾り部材２２の上側前面部の左右方向中央部に、発光装飾部材２４が設けられている。この発光装飾部材２４を構成する正面視略星形５角形の発光カバー部材４１は、無色透明で透光性を有する合成樹脂で形成されて、背面側にＬＥＤ基板５１が嵌め込まれて、当該センター飾り部材２２の前面部に固着されている。また、この発光カバー部材２４とほぼ同じ正面視略星形５角形に形成された回転カバー部材４２は、背面部に立設された接続ボス６７が発光カバー部材４１の支持ボス４９に嵌挿されて回転可能に支持されている。
【００４５】
また、回転カバー部材４２の接続ボス６７には、センター飾り部材２２の背面側からモータ４３のモータ軸４３Ａが圧入や接着等によって結合されている。また、回転カバー部材４２は、無色透明で透光性を有する合成樹脂により形成されると共に、各突出部５６の半径方向外側の端縁部には、有色透明で透光性を有する合成樹脂により形成された正面視所定径の各異色部６１が設けられている。
【００４６】
これにより、サブ統合制御基板を介して発光カバー部材４１の各ＬＥＤ５２を所定の発光色（例えば、緑色である。）で発光駆動すると共に、モータ４３を所定回転速度で回転駆動することによって、回転カバー部材４２の各異色部６１は、発光カバー部材４１の各突出部４７に対向したときだけ発光される。従って、発光カバー部材４１の各ＬＥＤ５２は、所定の発光色で点灯し続けているにもかかわらず、モータ４３を所定回転速度で回転駆動することによって、遊技者には、正面視略星形５角形に形成された発光装飾部材２４の各先端部に形成された異色部６１が点滅発光されているように見えることとなる。
【００４７】
従って、発光カバー部材４１のＬＥＤ基板５１に設けられた各ＬＥＤ５２を単一色で発光させるための制御用信号線を当該ＬＥＤ基板５１に接続すればよいため、発光装飾部材２４の各先端部でポイント的に色が変化するように表示することが可能となると共に、制御用信号線の必要数の増加を抑制することが可能となる。また、簡易な構成で、回転カバー部材４２の各異色部６１が、各突出部４６の先端部において異なる色で点滅表示しているように表示することが可能となる。
また、回転カバー部材４２の背面部に光拡散シート６２を配置することによって、モータ軸４３Ａ等を見えなくすることが可能となり、装飾性の向上を図ることが可能となる。
【実施例２】
【００４８】
次に、第２実施形態に係るパチンコ機１に装着された発光装飾部材８１について図８乃至図１１に基づいて説明する。尚、以下の説明において上記図３乃至図７の第１実施形態に係る発光装飾部材２４の構成等と同一符号は、該第１実施形態に係る発光装飾部材２４の構成等と同一あるいは相当部分を示すものである。
図８は第２実施形態に係る発光装飾部材８１の全体を示した前面側斜視図である。図９は発光装飾部材８１の全体を示した背面側斜視図である。図１０は発光装飾部材８１の縦断面図である。図１１は発光装飾部材８１の回転動作時の状態を示す図である。
【００４９】
第２実施形態に係る発光装飾部材８１は、第１実施形態に係る発光装飾部材２４とほぼ同じ構成である。
但し、図８乃至図１０に示すように、第２実施形態に係る発光装飾部材８１は、正面視略星形５角形の発光カバー部材４１に替えて、正面視略星形１０角形の発光カバー部材８２が設けられている。
【００５０】
図８乃至図１０に示すように、この発光カバー部材８２は、無色透明で透光性を有する合成樹脂により形成されている。また、発光カバー部材８２は、円形の平板部８３（図１１右上又は図１１左下を参照）と、この平板部８３の周縁部から等角度で半径方向外側に正面視略三角形に突出する１０個の突出部８５（図１１右上又は図１１左下を参照）とから構成された略星形１０角形の平板状の前面部８６（図１１右上又は図１１左下を参照）と、この前面部８６の周縁部から背面側方向へ直角に所定高さ延出された側壁部８７とから構成されている。また、この側壁部８７の高さは、第１実施形態に係る発光装飾部材２４の側壁部４７の高さとほぼ同じ高さに形成されている。
【００５１】
また、発光カバー部材８２の前面部８６の略中央部には、円筒状の支持ボス８８が、側壁部８７とほぼ同じ高さで立設され、この支持ボス８８の軸心に沿って、前後に連通する貫通孔９０が形成されている。また、発光カバー部材８２の背面側には、前面部８６と同じ略星形で中央部に支持ボス８８が嵌入される貫通孔が形成されたＬＥＤ基板９１が嵌め込まれて、取り付けられている。このＬＥＤ基板９１には、所定の同一色に発光する複数のＬＥＤ５２が実装され、不図示のサブ統合制御基板から供給される電源により発光駆動される。
【００５２】
そして、発光カバー部材８２は、図１０に示すように、背面部がセンター飾り部材２２の前面部に接着等により固着されている。
また、発光カバー部材８２の各突出部８５の正面側から見た頂点部の角度は、回転カバー部材４２の各突出部５６の正面側から見た頂点部の角度とほぼ同じ角度になるように形成されている。これにより、図８及び図９に示すように、回転カバー部材４２の各突出部５６が、発光カバー部材８２の各突出部８５にほぼ重なって停止した場合には、後側の発光カバー部材８２の各突出部８５が、回転カバー部材４２の各突出部５６によって１個おきに覆われる。
【００５３】
また、図１０に示すように、回転カバー部材４２は、発光カバー部材８２の略中央部に形成された貫通孔９０の両端部に嵌入された一対の円筒状の軸受７１に、接続ボス６７を嵌挿させることによって、回転可能に支持される。また、この一対の円筒状の軸受７１は、フランジ部が貫通孔９０の両端周縁部に当接している。
【００５４】
従って、モータ４３は、先ず、モータ軸４３Ａを回転カバー部材４２の接続ボス６７の貫通孔６８に、接着剤を塗って嵌入し、又は、圧入する。その後、モータ４３は、一対の取付耳部７３の各取付用貫通孔７２にネジを挿通し、センター飾り部材２２の背面側に形成された不図示のネジ孔にネジ止めすることによって、発光カバー部材８２の裏側にセンター飾り部材２２を挟んだ状態で取り付けられる。
【００５５】
尚、モータ４３は、不図示のサブ統合制御基板に接続され、駆動電源を供給される。そして、モータ４３は、サブ統合制御基板から供給される電源により回転駆動された場合には、図８及び図９に示すように、発光カバー部材８２の各突出部８５と回転カバー部材４２の各突出部５６とが重なった状態になった時に、原点位置を検出するように構成されている。
【００５６】
次に、このように構成された発光装飾部材８１を発光駆動した一例について図１１に基づいて説明する。
図１１の左上側に示すように、モータ４３の原点位置を検出している状態で、当該モータ４３を停止させ、サブ統合制御基板を介して発光カバー部材８２の各ＬＥＤ５２を発光駆動した場合には、回転カバー部材４２の各突出部５６は、発光カバー部材８２の各突出部８５に１個おきにほぼ重なっている。
【００５７】
そして、発光カバー部材８２は、各ＬＥＤ５２の発光色によって、前面部８６の全面に渡ってほぼ均一に発光する。例えば、各ＬＥＤ５２が緑色で発光した場合には、発光カバー部材８２の前面部８６は、全面に渡って緑色でほぼ均一に発光する。
また、回転カバー部材４２の前面部５７は、各ＬＥＤ５２の発光色によって、光拡散シート６２を介して全面に渡ってほぼ均一に発光する。例えば、各ＬＥＤ５２が緑色で発光した場合には、回転カバー部材４２の前面部５７は、全面に渡って緑色でほぼ均一に発光する。
【００５８】
また、この時、回転カバー部材４２の各突出部５６の先端部に形成された異色部６１は、各ＬＥＤ５２の発光によって、それぞれの色で発光する。例えば、各異色部６１が赤色透明の場合には、当該各異色部６１はＬＥＤ５２の緑色と赤色透明の混色で発光する。
【００５９】
続いて、図１１の右上→右下→左下→左上の順に示すように、不図示のサブ統合制御基板を介して、モータ４３を所定回転速度で回転駆動して、回転カバー部材４２を正面視時計方向又は反時計方向へ回転させた場合には、当該回転カバー部材４２の各突出部５６の先端部が、発光カバー部材８２の各突出部８５と繰り返し対向することとなる。このため、回転カバー部材４２の各突出部５６は、発光カバー部材８２の各突出部８５と重なっている部分だけ、各ＬＥＤ５２によって発光し、当該発光カバー部材８２の各突出部８５と重なっていない部分は発光しなくなる。
【００６０】
従って、モータ４３を所定回転速度で回転駆動した場合には、回転カバー部材４２の各突出部５６の先端部に形成された異色部６１は、発光カバー部材８２の各突出部８５と対向した場合だけ、それぞれの色で繰り返し発光する。
【００６１】
その後、再度、モータ４３を原点位置を検出した状態で停止させた場合には、回転カバー部材４２の各突出部５６は、発光カバー部材８２の各突出部８５にほぼ重なって停止する。これにより、サブ統合制御基板を介して発光カバー部材８２の各ＬＥＤ５２を発光駆動した場合には、回転カバー部材４２の前面部５７は、全面に渡ってほぼ均一に発光すると共に、各突出部５６の先端部に形成された異色部６１は、各ＬＥＤ５２の発光によって、それぞれの色で発光する。
【００６２】
ここで、発光カバー部材８２は、第１カバー部材の一例として機能する。また、回転カバー部材４２は、第２カバー部材の一例として機能する。また、モータ４３は、駆動手段の一例として機能する。また、平板部５５は、連続重なり部の一例として機能する。また、各突出部５６は、非連続重なり部の一例として機能する。また、ＬＥＤ基板９１及び各ＬＥＤ５２は、発光部材の一例を構成する。
【００６３】
以上説明した通り、第２実施形態に係るパチンコ機１によれば、サブ統合制御基板を介して発光カバー部材８２の各ＬＥＤ５２を所定の発光色（例えば、緑色である。）で発光駆動すると共に、モータ４３を所定回転速度で回転駆動することによって、回転カバー部材４２の各突出部５６の先端部に形成された異色部６１は、発光カバー部材８２の各突出部８５に対向したときだけ発光される。
【００６４】
従って、発光カバー部材８２の各ＬＥＤ５２は、所定の発光色で点灯し続けているにもかかわらず、モータ４３を所定回転速度で回転駆動することによって、遊技者には、正面視略星形１０角形に形成された発光装飾部材８１の各突出部８５の先端部において、各異色部６１が点滅発光されているように見えることとなる。つまり、発光カバー部材８２のＬＥＤ基板９１に設けられた各ＬＥＤ５２を単一色で発光させるための制御用信号線を当該ＬＥＤ基板９１に接続すればよいため、発光装飾部材８１の各先端部でポイント的に色が変化するように表示することが可能となると共に、制御用信号線の必要数の増加を抑制することが可能となる。また、簡易な構成で、回転カバー部材４２の各異色部６１が、各突出部８５の先端部で異なる色で点滅表示しているように表示することが可能となる。
【００６５】
尚、本発明は前記第１実施形態及び第２実施形態に限定されることはなく、本発明の要旨を逸脱しない範囲内で種々の改良、変形が可能であることは勿論である。
【００６６】
（Ａ）例えば、発光カバー部材４１及び回転カバー部材４２を、正面視略星形５角形だけでなく、正面視略星形６角形、正面視略星形７角形、正面視略星形１０角形や、正面視略三角形等に形成してもよい。つまり、回転カバー部材４２を回転した場合に、発光カバー部材４１の前面部と重ならない回転軸半径方向に突出する突出部を形成するようにしてもよい。そして、回転カバー部材４２の各突出部の先端部、及び、回転した場合に発光カバー部材４１の前面部と重ならなくなる部分に有色透明で透光性を有する合成樹脂により形成された異色部６１を形成するようにしてもよい。
【００６７】
これにより、発光カバー部材４１内の各ＬＥＤ５２を所定の発光色で発光駆動すると共に、モータ４３を所定回転速度で回転駆動することによって、回転カバー部材４２の各異色部６１は、発光カバー部材４１の各突出部４６に対向したときだけ発光される。従って、発光カバー部材４１のＬＥＤ基板５１に設けられた各ＬＥＤ５２を単一色で発光させるための制御用信号線を当該ＬＥＤ基板５１に接続すればよいため、各突出部４６において、ポイント的に色が変化するように表示することが可能となると共に、制御用信号線の必要数の増加を抑制することが可能となる。また、簡易な構成で、回転カバー部材４２の各異色部６１が、各突出部の先端部において異なる色で点滅表示しているように表示することが可能となる。
【００６８】
（Ｂ）また、例えば、異色部６１を回転カバー部材４２の各突出部５６の先端部に限らず、各突出部５６の中央部等、各突出部５６上の各突出部４６、８５に繰り返し重なる位置であれば任意の位置に設けるようにしてもよい。これにより、発光カバー部材４１の各突出部４６、８５の任意の位置において、ポイント的に色が変化するように表示することが可能となる。
また、異色部６１は、正面視円形に限らず、三角形、四角形、菱形、ハート形等、任意の形状に形成してもよい。
【００６９】
（Ｃ）また、例えば、回転カバー部材４２を有色透明（例えば、橙色透明である。）で透光性を有する合成樹脂により形成すると共に、各異色部６１を周縁部の色と異なった色の有色透明（例えば、赤色透明である。）で透光性を有する合成樹脂により形成するようにしてもよい。
【００７０】
これにより、各発光カバー部材４１、８２内の各ＬＥＤ５２を所定の発光色で発光駆動すると共に、モータ４３を所定回転速度で回転駆動することによって、回転カバー部材４２の各異色部６１は、各突出部４６、８５に対向したときだけ周縁部と異なる色で発光される。従って、各発光カバー部材４１、８２の各ＬＥＤ基板５１、９１に設けられた各ＬＥＤ５２を単一色で発光させるための制御用信号線を当該各ＬＥＤ基板５１、９１に接続すればよいため、回転カバー部材４２の各突出部５６において、ポイント的に色が変化するように表示することが可能となると共に、制御用信号線の必要数の増加を抑制することが可能となる。また、簡易な構成で、回転カバー部材４２の各異色部６１が、各突出部５６の先端部において異なる色で点滅表示しているように表示することが可能となる。
【００７１】
（Ｄ）また、例えば、回転カバー部材４２の各突出部５６に形成した異色部６１の色を、各突出部５６毎に異なる色にしてもよい。これにより、各突出部５６が発光カバー部材４１の各突出部４６、又は発光カバー部材８２の各突出部８５に重なる毎に、次々と異なる色で発光するように表示することが可能となる。
【００７２】
（Ｅ）また、例えば、発光カバー部材４１を、無色透明で透光性を有する合成樹脂により、正面視横長四角形の平板部と該平板部の上端縁部又は下端縁部から所定間隔で上方又は下方に延出された複数の正面視略四角形の突出部とを有する正面視略櫛形に形成するようにしてもよい。そして、発光カバー部材４１の前面側に、当該発光カバー部材４１とほぼ同じ形状の正面視略櫛形に形成された往復カバー部材を設けるようにしてもよい。
【００７３】
そして、往復カバー部材は、無色透明で透光性を有する合成樹脂により形成すると共に、発光カバー部材４１の各突出部に対向する部分に、有色透明で透光性を有する合成樹脂により形成された異色部６１を形成するようにしてもよい。
【００７４】
これにより、発光カバー部材４１内の各ＬＥＤ５２を所定の発光色で発光駆動すると共に、往復カバー部材を左右方向に所定速度で往復移動させることによって、往復カバー部材の各異色部６１は、発光カバー部材４１の各突出部に対向したときだけ発光される。従って、発光カバー部材４１のＬＥＤ基板５１に設けられた各ＬＥＤ５２を単一色で発光させるための制御用信号線を当該ＬＥＤ基板５１に接続すればよいため、各突出部において、ポイント的に色が変化するように表示することが可能となると共に、制御用信号線の必要数の増加を抑制することが可能となる。また、簡易な構成で、往復カバー部材の各異色部６１が、発光カバー部材４１の各先端部において異なる色で点滅表示しているように表示することが可能となる。
【００７５】
（Ｆ）また、例えば、回転カバー部材４２をセンター飾り部材２２の前面部に回転しないように取り付けると共に、各発光カバー部材４１、８２を回転カバー部材４２の背面部とセンター飾り部材２２の前面部との間に回転可能に取り付け、各発光カバー部材４１、８２を所定回転速度で回転駆動するようにしてもよい。これにより、遊技者には、正面視略星形５角形に形成された発光装飾部材２４の各先端部に形成された異色部６１が点滅発光されているように見えることとなる。
【００７６】
また、回転カバー部材４２と各発光カバー部材４１、８２とを、それぞれセンター飾り部材２２の前面部に回転可能に設け、互いに異なる回転速度で同方向に回転させるようにしてもよいし、若しくは、互いに反対方向に回転させるようにしてもよい。これにより、遊技者には、正面視略星形５角形に形成された発光装飾部材２４の各先端部に形成された異色部６１が点滅発光されているように見えることとなる。
【符号の説明】
【００７７】
１      パチンコ機
２２      センター飾り部材
２４、８１      発光装飾部材
４１、８２      発光カバー部材
４２      回転カバー部材
４３      モータ
４６、５６、８５      突出部
５１、９１      ＬＥＤ基板
５２      ＬＥＤ
６１      異色部
【図１】
2010253190.tif 000003
【図２】
2010253190.tif 000004
【図３】
2010253190.tif 000005
【図４】
2010253190.tif 000006
【図５】
2010253190.tif 000007
【図６】
2010253190.tif 000008
【図７】
2010253190.tif 000009
【図８】
2010253190.tif 000010
【図９】
2010253190.tif 000011
【図１０】
2010253190.tif 000012
【図１１】
2010253190.tif 000013